(57)【要約】      （修正有）【課題】平板状表示装置を異なる傾斜角度や方向転換角度に調整して、見える範囲に対する各々の要望に応える平板状表示装置のスタンドを提供する。【解決手段】平板状表示装置５のスタンドは、支持部材１上の相対位置に第一端部１１と第二端部１２を設け、第一端部１１は、角度調整体４を通して結合部材に連結し、並びに、結合部材を角度調整体４に相対して方向転換或いは傾斜によって定位させる。さらに、結合部材上には平板状表示装置５を納める収納空間を設け、また、支持部材１の第二端部には底体３を枢着し、平板状表示装置に異なる角度の軸回転を行わせたり傾斜方向の支持を与え、異なる要望に応える平板状表示装置のスタンドである。【選択図】図４
0003176107.tif 000002
【実用新案登録請求の範囲】
【請求項１】
相対位置にある第一端部と第二端部を備える支持部材と、
背面部を支持部材の第一端部に結合し、平板状表示装置に結合させるための収納空間を備える結合部材とを含む平板状表示装置のスタンド。
【請求項２】
前記支持部材の第二端部は、第二枢着部材によって底体に枢着することを特徴とする請求項１に記載の平板状表示装置のスタンド。
【請求項３】
前記底体には支持部材の第二端部を納めるのに用いる枢着凹部を設けることを特徴とする請求項２に記載の平板状表示装置のスタンド。
【請求項４】
前記第二端部には軸回転過程において少なくとも一部が枢着凹部底面に接触して圧する突出押圧部を設けることを特徴とする請求項２に記載の平板状表示装置のスタンド。
【請求項５】
前記支持部材と結合部材間には角度調整体を設け、角度調整体は少なくとも一つの第一枢着部材を支持部材の第一端部に枢着し、角度調整体には開口を備えた収納部を設け、収納部内には、予め設けた弾性部品による外方向の弾力的な押圧を受ける少なくとも一つの嵌合制御定位部材を設け、結合部材は、収納部を備えた角度調整体の一方側に相対して軸回転する状態で結合して固定され、該結合部材は収納部に対応するくり抜き部を備え、尚且つ、くり抜き部の内周囲縁には嵌合制御定位部材を弾性をもって嵌入する複数の定位凹部を設け、また、結合部材には平板状表示装置を納める収納空間を設けることを特徴とする請求項１、２、３、４の何れかに記載の平板状表示装置のスタンド。
【請求項６】
前記結合部材には固定体を備え、収納空間を固定体上に設置することを特徴とする請求項５に記載の平板状表示装置のスタンド。
【請求項７】
前記結合部材には別に挟持制御部材を備え、尚且つくり抜き部を固定体上に設置し、該固定体は挟持制御部材を通して角度調整体上に結合し固定することを特徴とする請求項６に記載の平板状表示装置のスタンド。
【請求項８】
前記結合部材には別に結合体を備え、尚且つくり抜き部を結合体上に設置し、該結合体は挟持制御部材を通して角度調整体上に結合し固定し、また、固定体は取外し可能状態で結合体上に結合することを特徴とする請求項６に記載の平板状表示装置のスタンド。
【請求項９】
前記結合体の周囲縁の両側にはそれぞれ、少なくとも一つの第一定位部と少なくとも一つの第二定位部を設け、固定体上には第一定位部と第二定位部にそれぞれ対応する第一被定位部と第二被定位部を相対して設置することを特徴とする請求項８に記載の平板状表示装置のスタンド。
【請求項１０】
前記第一定位部と第二定位部はそれぞれ被嵌引掛体と嵌合引掛体であり、また、第一被定位部と第二被定位部はそれぞれ定位ガイド溝と嵌合制御溝であることを特徴とする請求項９に記載の平板状表示装置のスタンド。
【請求項１１】
前記収納部の底面には収納部の背面側に貫通する少なくとも一つの貫通孔を設け、尚且つ第一枢着部材は収納部内に設置し、該第一枢着部材には別に軸回転定位機能を備える枢着端部を設置し、該枢着端部はそれぞれ貫通孔に通して、さらに支持部材の第一端部に結合することを特徴とする請求項５乃至１０中の何れか一項に記載の平板状表示装置のスタンド。
【請求項１２】
前記収納部の周囲縁にはガイド嵌合制御定位部材を移動させるためのガイド路を設け、尚且つ貫通孔とガイド路間にはそれぞれ定位部を設け、該定位部は弾性部品の一端を固定するのに用い、該弾性部品の他の一端で嵌合制御定位部材を押圧することを特徴とする請求項１１に記載の平板状表示装置のスタンド。
【考案の詳細な説明】
【技術分野】
【０００１】
本考案は、特に、平板状表示装置を異なる傾斜角度や方向転換角度に調整して、見える範囲に対する各々の要望に応える平板状表示装置のスタンドに関する。
【背景技術】
【０００２】
公知技術に見られるタブレットパソコンに応用したスタンド或いは保護カバー構造は、例えば特許文献１の中華民国特許公告第M411501号「タブレットパソコンスタンド構造の改良」の実用新案に開示したとおりであるが、そのスタンドは主に、固定板体、及び固定板体に枢着した支持架体により構成される。該固定板体は、前蓋と後蓋を結合したもので、その内、後蓋は前蓋方向に延伸する複数個の定位部材を備え、後蓋には別に、複数個の挟持板を結合する。各挟持板には定位部材に向き合いスライドするガイド溝を形成し、ガイド溝と定位部材が互いに牽引制御し合うことにより挟持板の位置を限定する効果を生じさせる。また、ガイド溝箇所に、挟持板にタブレットパソコンを挟み込み圧して接触させるための伸縮部材を設置することにより、各挟持板は伸縮部材を用いて各種サイズの異なるタブレットパソコンの挟み込み範囲を変化させ、効果的な挟持及び固定効果を果たすことができる。しかし、この種の構造は、タブレットパソコンを挟持し尚且つ表示角度を固定し支える効果をなすが、応用上には変化性に欠け、多様性を備えた使用上の要望を満足させることはできない。
【０００３】
また、特許文献２の中華民国特許公告第M414799号「タブレットパソコンのケーススタンド構造」の実用新案は、主に、葉を重ねた形状のケース蓋を備えたケース体を含み、該ケース体はブルートゥースワイヤレスキーボードを嵌入し結合する収納スリットであり、該ケース蓋内には挟層を備え、挟層の基礎軸をスタンド板に枢着し、該スタンド板の後軸を支持足部に枢着する。ケース蓋を開いて平たく置いた時、該支持足部はスタンド板を支え一定傾斜角度をなして突伸し、タブレットパソコンの配置を可能にする。これにより、配置台設計のないタブレットパソコンを机の上に立てて使用でき、一般に使用されている実体キーボードを組み合わせると習慣となっている操作形態が実現する。前記構造は、タブレットパソコンに異なる固定傾斜角度を生じさせる支持構造となるが、キーボードを操作し易い傾斜角度にすることが難しく、尚且つタブレットパソコンに横方向の表示効果を生じさせるよう調整することが難しいため、使用上には依然として制限がある。
【０００４】
特許文献３の中華民国公告第M414855号「タブレットパソコンの保護カバー」の実用新案は、主に、上蓋と底体を含む。上蓋と底体間には第二屈曲部を形成し、上蓋と底体を向き合わせて折り畳むことを可能にする。底体の中間位置に近い箇所には別の第一屈曲部を形成し、これにより底体を一定角度に折り曲げることができる。上蓋中には複数の間隔をあけた磁石を設け、前述の構造設計により、タブレットパソコンを底体上に固定することができる。タブレットパソコンは、それ自体にあり尚且つ周辺に隠蔽された鉄心と上蓋の磁石が吸着し合い、加えて、第一湾曲部と第二湾曲部を折り曲げられる特性により、タブレットパソコンを異なる位置の磁石に吸着させることができる。これにより、タブレットパソコンは多種の角度調整が可能となり、同時にタブレットパソコンを保護して表面に疵がつくのを防ぐことができる。前記構造は基本的に、タブレットパソコンを支えて固定するための異なる傾斜角度を生じさせるが、キーボードとの結合は不可能であり、保護カバーを変化させた応用となる。
【０００５】
公知タブレットパソコンのスタンド或いは保護カバーの応用時にみられる前記欠点に鑑み、本考案者は研究と改善を重ね、ついに本考案が生み出された。
【先行技術文献】
【特許文献】
【０００６】
【特許文献１】中華民国特許公告第M411501号明細書
【特許文献２】中華民国特許公告第M414799号明細書
【特許文献３】中華民国特許公告第M414855号明細書
【考案の概要】
【考案が解決しようとする課題】
【０００７】
本考案の主な目的は、ディスプレイを備えた電子機器を異なる角度で枢着回転させて支持及び定位を行い、応用の変化性を高める平板状表示装置のスタンドを提供することにある。
【課題を解決するための手段】
【０００８】
上述の目的と効果を達成するために本考案が採用する技術手段は、相対位置にある第一端部と第二端部を備える支持部材と、支持部材の第一端部に結合し、モニターを備えた電子機器を納める収納空間を備える結合部材とを含む。
【０００９】
前記構造において、その内、支持部材の第二端部は、第二枢着部材によって底体に軸回転可能状態で枢着されて定位する。
【００１０】
前記構造において、その内、底体には支持部材の第二端部を納める枢着凹部を設け、尚且つ第二端部の外周囲縁には軸回転過程において枢着凹部底面に接触して圧する突出押圧部を設ける。
【００１１】
前記構造において、その内、支持部材と結合部材間には角度調整体を設け、角度調整体は少なくとも一つの第一枢着部材を支持部材の第一端部に枢着し、角度調整体には開口を備えた収納部を設け、収納部内には、予め設けた弾性部品による外方向の弾力的な押圧を受ける少なくとも一つの嵌合制御定位部材を設け、結合部材は、収納部を備えた角度調整体の一方側に相対して軸回転する状態で結合して固定される。結合部材は収納部に対応するくり抜き部を備え、尚且つくり抜き部の内周囲縁には嵌合制御定位部材を弾性をもって嵌入する複数の定位凹部を設け、また、結合部材には平板状表示装置を納める収納空間を設ける。
【００１２】
前記構造において、その内、結合部材には固定体を備え、尚且つ収納空間は固定体上に設置する。
【００１３】
前記構造において、その内、結合部材には別に挟持制御部材を備え、尚且つくり抜き部を固定体上に設置し、固定体は挟持制御部材を通して角度調整体上に結合し固定する。
【００１４】
前記構造において、その内、結合部材には別に結合体を備え、尚且つくり抜き部を結合体上に設置し、結合体は挟持制御部材を通して角度調整体上に結合し固定し、また、固定体は取外し可能な状態で結合体上に結合する。
【００１５】
前記構造において、その内、結合体の周囲縁の両側にはそれぞれ、少なくとも一つの第一定位部と少なくとも一つの第二定位部を設け、尚且つ固定体上には第一定位部と第二定位部に対応する第一被定位部と第二被定位部を相対して設置する。
【００１６】
前記構造において、その内、第一定位部と第二定位部はそれぞれ被嵌引掛体と嵌合引掛体であり、また、第一被定位部と第二被定位部はそれぞれ定位ガイド溝と嵌合制御溝である。
【００１７】
前記構造において、その内、収納部の底面には収納部の背面側に貫通する少なくとも一つの貫通孔を設け、尚且つ第一枢着部材は収納部内に設置し、該第一枢着部材には別に軸回転定位機能を備える枢着端部を設置し、枢着端部はそれぞれ貫通孔に通して、さらに支持部材の第一端部に結合する。
【００１８】
前記構造において、その内、収納部の周囲縁にはガイド嵌合制御定位部材を移動させるためのガイド路を設け、尚且つ貫通孔とガイド路間にはそれぞれ定位部を設ける。該定位部は弾性部品の一端を固定するのに用い、該弾性部品の他の一端で嵌合制御定位部材を押圧する。
【考案の効果】
【００１９】
本考案の平板状表示装置のスタンドは、平板状表示装置を異なる傾斜角度や方向転換角度に調整して、見える範囲に対する各々の要望に応える効果を果たす。
【図面の簡単な説明】
【００２０】
【図１】本考案の構造及びその第一実施例に関する部品の分解図である。
【図２】本考案第一実施例における角度調整体内部構造及び角度調整体と固定体の関連部位に関する立体組立図である。
【図３】本考案第一実施例において、予め設けた定位凹部に嵌入する嵌合制御定位部材のスタート位置を示した図である。
【図４】図３の平板状表示装置の使用状態図である。
【図５】本考案第一実施例の結合部材を軸回転させた時、嵌合制御定位部材が図３に示した定位凹部を離脱し位置移動した状態を示す図である。
【図６】図４の平板状表示装置を９０度軸回転させた時の使用状態図である。
【図７】本考案第一実施例の固定体と底体を重ね合わせ、平板状表示装置のモニターを外に向けて露出させた使用状態図である。
【図８】本考案第二実施例の構造分解図である。
【図９】本考案第二実施例の固定体と結合体の取外し動作図である。
【図１０】本考案第二実施例の固定体と結合体の組立状態断面図である。
【考案を実施するための形態】
【００２１】
上述した本考案の目的、効果、及び特徴についての具体的な理解のために、次に図面を加えた説明を行う。
【実施例】
【００２２】
図１及び図２に示すとおり、本考案の構造は主に、支持部材１、結合部材２等の部分を含む。その内、支持部材１は、二つの逆側にある第一端部１１と第二端部１２を含み、第一端部１１と第二端部１２の外側横にはそれぞれ軸孔１１１と軸孔１２１を備え、尚且つ第二端部１２の外周には突出押圧部１２２を設ける。該結合部材２は直接的或いは間接的に支持部材１の第一端部１１上に連結し（本実施例において、結合部材２は角度調整体４を通して支持部材１の第一端部１１に枢着するが、実際には、結合部材２を支持部材１の第一端部１１に直接枢着することも可能）、支持部材１の第二端部１２は要求に応じて底体３に連結し、このようにして第一実施例の構造を構成する。
【００２３】
結合部材２は固定体２１と挟持制御部材２２により構成される。固定体２１の一方側には平板状表示装置５（タブレットパソコン、携帯電話等）を納める収納空間２１１を設け、収納空間２１１の周囲縁には平板状表示装置５を定位させるための挟持制御部２１３を突設し、固定体２１（収納空間２１１）中央にはくり抜き部２１２を設け、くり抜き部２１２の内周囲縁には、間隔をあけて予め設定する角度を備えた複数の定位凹部２１４を設置し、挟持制御部材２２はくり抜き部２１２を超える面積を有し、尚且つ固定体２１のくり抜き部２１２に結合する。
【００２４】
角度調整体４の中央には開口を備えた収納部４１を設け、収納部４１の開口は固定体２１のくり抜き部２１２に対応し、挟持制御部材２２をくり抜き部２１２の角度調整体４から離れた一方側に被覆する。これにより、固定体２１と角度調整体４間は互いが軸回転可能状態で係合される。また、収納部４１の底面には、横向きに延伸し尚且つ収納部４１の背面側を貫通する貫通孔４１１と、貫通孔４１１の外側横に設ける二つのガイド路４１２とを備え、各貫通孔４１１とガイド路４１２間にはそれぞれ一つの定位部４１３を設け、複数の第一枢着部材４２を各貫通孔４１１の傍らに設け、第一枢着部材４２には軸回転定位機能を備えた枢着端部４２１を設け、枢着端部４２１は貫通孔４１１を通り支持部材１の軸孔１１１に結合し、これによって、角度調整体４は支持部材１の第一端部１１を軸心として軸回転し傾斜する。また、複数の弾性部品４３（螺旋ばねとしてもよい）の一端をそれぞれ定位部４１３に固定し、他の一端をそれぞれガイド路４１２内に延伸させる。これにより、二つの嵌合制御定位部材４４（ローラーとしてもよい）は外方向の弾性可動状態を維持し、尚且つ定位凹部２１４内に嵌入し、結合部材２の固定体２１と角度調整体４を軸回転させて定位を行わせる。
【００２５】
底体３上には支持部材１の第二端部１２を納める枢着凹部３２を設け、枢着凹部３２内の二つの向き合う側にそれぞれ軸回転定位機能を備えた第二枢着部材３１を設け、該第二枢着部材３１を支持部材１の軸孔１２１内に結合する。支持部材１を軸回転する時は、突出押圧部１２２が枢着凹部３２の底面を押圧することにより、枢着凹部３２上の支持部材１の軸回転角度を制限する。
【００２６】
図３乃至図７に示すとおり、本考案の第一実施例を使用する場合、底体３は予め設置した平面（机の上等）を圧して支え、支持部材１は底体３上で軸回転し（突出押圧部１２２で枢着凹部３２の底面を押圧し、支持部材１の軸回転で開く角度を制限する）、さらに結合部材２の固定体２１を組み合わせた角度調整体４（或いは支持部材１）上を軸回転し、固定体２１上に固定した平板状表示装置５を直立或いは適当角度に傾斜させる。
【００２７】
使用しない場合は、支持部材１を軸回転して平板状表示装置５のモニター側を底体３に近づけ、二者を重ね合わせて小さな空間に納められるようにし、収納や携帯に利便を図る。
【００２８】
平板状表示装置５を角度調整体４によって支持部材１の第一端部１１上で全く逆方向の軸回転をさせた後、支持部材１を底体３に密着させると、平板状表示装置５は予め設けた平面に平たく密着し尚且つモニターは上に向けられた（図７参照）使用待ち状態となる。
【００２９】
角度調整体４の嵌合制御定位部材４４を固定体２１のくり抜き部２１２上に予め設けた定位凹部２１４内に嵌入し（図３参照）それをスタート位置として設定すると、この時の固定体２１と平板状表示装置５は横置き状態（図４参照）となる。
【００３０】
平板状表示装置５のモニターを軸回転したい場合は、平板状表示装置５を回転させると同時に、固定体２１を動かすと、嵌合制御定位部材４４は元来位置の定位凹部２１４から離れ、尚且つ弾性部４３を圧縮し、くり抜き部２１２内周縁に沿って別の定位凹部２１４方向にスライドするか転がり（図５参照）、嵌合制御定位部材４４は別の定位凹部２１４内に嵌入して定位する。この時、電子機器５には異なる角度（垂直等）の軸回転と定位が行われ（図６参照）、異なる使用状況や要望に簡単に応えることができる。
【００３１】
図８乃至図１０に示すとおり、本考案第二実施例の構造は、前述した第一実施例を基礎として派生した構造であることが理解される。第二実施例は主に、結合部材６と、第一実施例と同様の構成要素である底体３、角度調整体４、及び支持部材１を含み、結合部材６は、固定体６３、挟持制御部材６２、結合体６１により構成される。結合体６１の中央には収納部４１に対応するくり抜き部６１１を設け、くり抜き部６１１内周縁には間隔をあけて予め角度を設定した複数の定位凹部６１２を設け、各定位凹部６１２には嵌合制御定位部材４４を嵌入し定位させるのに用いる。また、結合体６１の周囲縁の向き合う側にはそれぞれ、同じ側に延伸する複数の第一定位部６１３（被嵌引掛体としてもよい）と、嵌合引掛体構造を備えた第二定位部６１４を設け、別に、各第二定位部６１４を押して引き離すための突出プッシュ部６１５を別に設ける。
【００３２】
挟持制御部材６２はくり抜き部６１1を超える面積であり、角度調整体４から離れた結合体６１の一方側に結合し、尚且つくり抜き部６１１に被覆することにより、第三枢着部材４２、弾性部品４３、嵌合制御定位部材４４を制限し外側への抜け落ちを防ぎ、並びに、結合体６１を角度調整体４に結合し、結合体６１に角度調整体４と相対する軸回転運動を生じさせる。
【００３３】
固定体６３の一方側には平板状表示装置５（タブレットパソコン、携帯電話等）を納める収納空間６３１を設置し、収納空間６３１の周囲縁には平板状表示装置５を定位させるための挟持制御部６３２を突設し、尚且つ収納空間６３１の反対側の周囲縁には第一被定位部６３３（定位ガイド溝としてもよい）と、第二被定位部６３４（嵌合制御ガイド溝としてもよい）を設け、それぞれを結合体６１の第一定位部６１３と第二定位部６１４に対応させる。
【００３４】
組み立て時は、結合体６１の第一定位部６１３（被嵌引掛体）を固定体６３の第一被定位部６３３（定位ガイド溝）内に延伸させ、係合させる別の側の第二定位部６１４（嵌合引掛体）を第二被定位部６３４（嵌合制御ガイド溝）内に嵌入し、結合体６１と固定体６３に結合定位を形成させる（図１０参照）。また、突出プッシュ部６１５に力を加えると、それに連動する第二定位部６１４（嵌合引掛体）は第二被定位部６３４（嵌合制御ガイド溝）からはずれ、固定体６３と結合体６１を分離させ（図９参照）、簡単に着脱できる構造をなす。
【００３５】
上述の構造において、結合部材６自身の構造、及びそれと角度調整体４の組立方式の他の底体３、支持部材１の構造、及び結合方式は全て前述した第一実施例と同様であるため、ここでは説明を省く。
【００３６】
前述をまとめると、本考案平板状表示装置のスタンドは、キーボードを結合することができ、タブレットパソコンのモニターに異なる傾斜及び回転角度を与える効果を生じさせ、確実に新規性及び進歩性を備えた実用新案である。よってここに、特許法に依拠して実用新案の出願を行う。但し、上述の説明内容は、単に本考案の好ましい実施例を説明するためのものであり、本考案の技術手段及び実用新案登録請求の範囲より派生させた変化、修飾、修正或いは同等効果の置き換えは何れも、本考案の実用新案登録請求の範囲内に含まれるものとする。
【符号の説明】
【００３７】
1：支持部材
11：第一端部
111、121：軸孔
12：第二端部
122：突出押圧部
2、6：結合部材
21、63：固定体
211、631：収納空間
212、611：くり抜き部
213、632：挟持制御部
214、612：定位凹部
22、62：挟持制御部材
3：底体
31：第二枢着部材
32：枢着凹部
4：角度調整体
41：収納部
411：貫通孔
412：ガイド路
413：定位部
42：第一枢着部材
421：枢着端部
43：弾性部品
44：嵌合制御定位部材
5：平板状表示装置
61：結合体
613：第一定位部
614：第二定位部
615：突出プッシュ部
633：第一被定位部
634：第二被定位部
【図１】
0003176107.tif 000003
【図２】
0003176107.tif 000004
【図３】
0003176107.tif 000005
【図４】
0003176107.tif 000006
【図５】
0003176107.tif 000007
【図６】
0003176107.tif 000008
【図７】
0003176107.tif 000009
【図８】
0003176107.tif 000010
【図９】
0003176107.tif 000011
【図１０】
0003176107.tif 000012